(57)【要約】【課題】封入の手間やコストを抑え、エンドユーザ側では、取り扱いやすい申込書を提供する。【解決手段】申込書１０は、シート状基材１１と、隠蔽ラベル部２０などとを備え、シート状基材１１は、２つの折りミシン目ｍｃ１、ｍｃ２によって、３つの領域に区画され、左の領域には、第１のハガキ部１２が設けられ、中央の領域には、隠蔽片２１が設けられ、右の領域には、第２のハガキ部１３が設けられ、第１及び第２のハガキ部１２、１３には、記入欄１４が設けられ、隠蔽ラベル部２０は、第１及び第２のハガキ部１２、１３のうち使用されるいずれか一方のハガキ部の記入欄１４を隠蔽するものであり、隠蔽片２１と、隠蔽片２１の表面に設けられた再剥離構造２２と、再剥離構造２２の表面に設けられた透明紙２３と、透明紙２３の表面に設けられた粘着剤２４と、粘着剤２４の表面に設けられた剥離紙２５とを備える。【選択図】図１
2006150794.tif 000002
【特許請求の範囲】
【請求項１】
いずれかが選択されて使用される複数の情報部と、
前記複数の情報部のうち使用される情報部の少なくとも一部を隠蔽する隠蔽部と、
を備える申込書。
【請求項２】
請求項１に記載の申込書において、
前記隠蔽部は、
隠蔽片と、
前記隠蔽片の表面に設けられた再剥離構造と、
前記再剥離構造の表面に設けられた透明性基材と、
前記透明性基材の表面に設けられた粘着剤層とを備え、
前記情報部と前記粘着剤層とを粘着させて前記情報部を隠蔽すること、
を特徴とする申込書。
【請求項３】
請求項１に記載の申込書において、
前記隠蔽部は、
隠蔽片と、
前記隠蔽片の裏面に設けられた再剥離構造と、
前記再剥離構造の裏面に設けられた透明性基材と、
前記透明性基材の裏面に設けられた粘着剤層と、
前記隠蔽片から前記粘着剤層までに設けられた分離線とを備え、
前記分離線によって前記隠蔽片から前記粘着剤層までの部分を分離し、前記情報部と前記粘着剤層とを粘着させて前記情報部を隠蔽すること、
を特徴とする申込書。
【請求項４】
請求項１に記載の申込書において、
前記隠蔽部は、
隠蔽片と、
前記隠蔽片の表面に設けられた再剥離再貼付粘着剤層とを備え、
前記情報部と前記再剥離再貼付粘着剤層とを粘着させて前記情報部を隠蔽すること、
を特徴とする申込書。
【請求項５】
請求項１に記載の申込書において、
前記隠蔽部は、
隠蔽片と、
前記隠蔽片の裏面に設けられた再剥離再貼付粘着剤層と、
前記隠蔽片から前記再剥離再貼付粘着剤層までに設けられた分離線とを備え、
前記分離線によって前記隠蔽片から前記再剥離再貼付粘着剤層までの部分を分離し、前記情報部と前記再剥離再貼付粘着剤層とを粘着させて前記情報部を隠蔽すること、
を特徴とする申込書。
【請求項６】
請求項２又は請求項４に記載の申込書において、
この申込書を折り畳む折り線を備え、
前記複数の情報部と前記隠蔽部とは、前記折り線に対して少なくとも一部が線対称の位置に配置されていること、
を特徴とする申込書。
【請求項７】
請求項２から請求項６までのいずれか１項に記載の申込書において、
前記複数の情報部と前記隠蔽片とは、同一の基材に設けられていること、
を特徴とする申込書。
【発明の詳細な説明】
【技術分野】
【０００１】
本発明は、プライバシー情報などを隠蔽することができる申込書に関するものである。
【背景技術】
【０００２】
従来、この種の申込書は、エンドユーザが記入したプライバシー情報の保護を目的としており、例えば、そのプライバシー情報を隠蔽するためのラベルとして、ハガキなどの郵送媒体に記入された伝達情報の秘密保持を行う隠蔽ラベルが開示されている（例えば、特許文献１）。
【０００３】
しかし、申込書では、２種のハガキが必要となる場合があり、従来は、２種のハガキと隠蔽ラベルとを別々に封入していたため、封入の手間やコストがかかり、また、エンドユーザ側では、隠蔽ラベルを貼り込む作業も手間となっていた。
【特許文献１】特開２００１−０５４９９２号公報
【発明の開示】
【発明が解決しようとする課題】
【０００４】
本発明の課題は、封入の手間やコストを抑え、エンドユーザ側では、取り扱いやすい申込書を提供することである。
【課題を解決するための手段】
【０００５】
本発明は、以下のような解決手段により、前記課題を解決する。なお、理解を容易にするために、本発明の実施例に対応する符号を付して説明するが、これに限定されるものではない。
請求項１の発明は、いずれかが選択されて使用される複数の情報部（１２、１３）と、前記複数の情報部（１２、１３）のうち使用される情報部の少なくとも一部を隠蔽する隠蔽部（２０）と、を備える申込書である。
請求項２の発明は、請求項１に記載の申込書において、前記隠蔽部（２０）は、隠蔽片（２１）と、前記隠蔽片（２１）の表面に設けられた再剥離構造（２２）と、前記再剥離構造（２２）の表面に設けられた透明性基材（２３）と、前記透明性基材（２３）の表面に設けられた粘着剤層（２４）とを備え、前記情報部（１２、１３）と前記粘着剤層（２４）とを粘着させて前記情報部（１２、１３）を隠蔽すること、を特徴とする申込書である。
請求項３の発明は、請求項１に記載の申込書において、前記隠蔽部（２０）は、隠蔽片（２１）と、前記隠蔽片（２１）の裏面に設けられた再剥離構造（２２）と、前記再剥離構造（２２）の裏面に設けられた透明性基材（２３）と、前記透明性基材（２３）の裏面に設けられた粘着剤層（２４）と、前記隠蔽片（２１）から前記粘着剤層（２４）までに設けられた分離線（ｈｃ）とを備え、前記分離線（ｈｃ）によって前記隠蔽片（２１）から前記粘着剤層（２４）までの部分を分離し、前記情報部（１２、１３）と前記粘着剤層（２４）とを粘着させて前記情報部（１２、１３）を隠蔽すること、を特徴とする申込書である。
請求項４の発明は、請求項１に記載の申込書において、前記隠蔽部（２０）は、隠蔽片（２１）と、前記隠蔽片（２１）の表面に設けられた再剥離再貼付粘着剤層（２６）とを備え、前記情報部（１２、１３）と前記再剥離再貼付粘着剤層（２６）とを粘着させて前記情報部（１２、１３）を隠蔽すること、を特徴とする申込書である。
請求項５の発明は、請求項１に記載の申込書において、前記隠蔽部（２０）は、隠蔽片（２１）と、前記隠蔽片（２１）の裏面に設けられた再剥離再貼付粘着剤層（２６）と、前記隠蔽片（２１）から前記再剥離再貼付粘着剤層（２６）までに設けられた分離線（ｈｃ）とを備え、前記分離線（ｈｃ）によって前記隠蔽片（２１）から前記再剥離再貼付粘着剤層（２６）までの部分を分離し、前記情報部（１２、１３）と前記再剥離再貼付粘着剤層（２６）とを粘着させて前記情報部（１２、１３）を隠蔽すること、を特徴とする申込書である。
請求項６の発明は、請求項２又は請求項４に記載の申込書において、この申込書を折り畳む折り線（ｍｃ１、ｍｃ２）を備え、前記複数の情報部（１２、１３）と前記隠蔽部（２０）とは、前記折り線（ｍｃ１、ｍｃ２）に対して少なくとも一部が線対称の位置に配置されていること、を特徴とする申込書である。
請求項７の発明は、請求項２から請求項６までのいずれか１項に記載の申込書において、前記複数の情報部（１２、１３）と前記隠蔽片（２１）とは、同一の基材に設けられていること、を特徴とする申込書である。
【発明の効果】
【０００６】
本発明によれば、複数の情報部に対して、使用される分だけの隠蔽部を設けるようにしたので、資源に無駄がなく、製造コストを抑えることができる。
また、隠蔽部は必要最低限でよいので、透明性基材を用いるような特殊な隠蔽部であればあるほど、製造コストを抑えることができる。
さらに、情報部と隠蔽部とは、折り線に対して線対称の位置に配置されているので、折り畳み方によって、いずれの情報部も簡単に隠蔽することができる。
【発明を実施するための最良の形態】
【０００７】
本発明は、封入の手間やコストを抑え、エンドユーザ側では、取り扱いやすい申込書を提供するという目的を、２つのハガキ部の間に１つの隠蔽ラベル部を設けることにより実現する。
【実施例１】
【０００８】
以下、図面等を参照して、本発明の実施例について、さらに詳しく説明する。
図１は、本発明による申込書の実施例１を示す図である。
実施例１の申込書１０は、ハガキと隠蔽ラベルとが一体化された一体型申込書であって、シート状基材１１と、隠蔽ラベル部（隠蔽部）２０などとを備える。
【０００９】
シート状基材１１は、連量が１１０ｋｇ／四六の上質紙であり、この申込書１０を折り畳むための２つの折りミシン目（折り線）ｍｃ１、ｍｃ２によって、３つの領域に区画されている。
シート状基材１１の左の領域には、クレジット支払申込書用の第１のハガキ部（情報部）１２が設けられ、中央の領域には、後述する隠蔽ラベル部２０の隠蔽片２１が設けられ、右の領域には、預金口座振替依頼書・申込書用の第２のハガキ部（情報部）１３が設けられている。
【００１０】
第１及び第２のハガキ部１２、１３は、いずれかが選択されて使用されるものであり、それぞれ、記入欄１４が設けられている。
【００１１】
隠蔽ラベル部２０は、第１及び第２のハガキ部１２、１３のうち使用されるいずれか一方のハガキ部の記入欄１４を隠蔽するものであり、隠蔽片２１と、隠蔽片２１の表面に設けられた再剥離構造（接着剤／剥離層）２２と、再剥離構造２２の表面に設けられた透明紙（透明性基材）２３と、透明紙２３の表面に設けられた粘着剤（粘着剤層）２４と、粘着剤２４の表面に設けられた剥離紙２５とを備える。
【００１２】
また、第１のハガキ部１２と隠蔽ラベル部２０とは、折りミシン目ｍｃ１に対して線対称の位置に配置されており、第２のハガキ部１３と隠蔽ラベル部２０とは、折りミシン目ｍｃ２に対して線対称の位置に配置されている。
【００１３】
次に、実施例１の申込書１０の使用方法を説明する。
まず、申込者は、申込書１０の内容を確認し、クレジット支払にするか、預金口座振替にするかを選択する。
ついで、選択した方のハガキ部の記入欄１４に、必要事項を記入する。
ここで、第１のハガキ部１２を選択した場合には、折りミシン目ｍｃ２などを用いて、第１のハガキ部１２及び隠蔽ラベル部２０を申込書１０から切り離す（図中、Ｂ部分）。
逆に、第２のハガキ部１３を選択した場合には、折りミシン目ｍｃ１などを用いて、第２のハガキ部１３及び隠蔽ラベル部２０を申込書１０から切り離す（図中、Ｃ部分）。
【００１４】
そして、いずれの場合も、剥離紙２５を剥離し、図１（Ｂ）（Ｃ）に示すように、折りミシン目ｍｃ１、ｍｃ２で折り畳み、ハガキ部の記入欄１４と粘着剤２４とを粘着させて記入欄１４を隠蔽する。
最後に、この状態でポストに投函する。
受取側では、再剥離構造２２で開封すると、透明紙２３で覆われた記入欄１４が目視可能となる。
【００１５】
このように、実施例１によれば、以下のような効果がある。
（１）２つのハガキ部１２、１３に対して、使用される１つ分だけの隠蔽ラベル部２０を設けるようにしたので、資源に無駄がなく、製造コストを抑えることができる。
（２）隠蔽ラベル部２０は、１つでよいので、本実施例のような透明紙２３などを用いる複雑な隠蔽ラベル部２０であればあるほど、製造コストを抑えることができる。
【００１６】
（３）各ハガキ部と隠蔽ラベル部２０とは、折りミシン目ｍｃ１、ｍｃ２に対して線対称の位置に配置されているので、折り畳み方や切り取り方によって、いずれのハガキ部も簡単に隠蔽することができる。
（４）各ハガキ部と隠蔽片２１とは、同一の基材に設けられているので、それぞれ同時に印字が可能となり、マッチングミスがなく、また、２つ折りしてハガキ部を隠蔽できるわかりやすい形態である。
【００１７】
（５）受取側で、一度開封すると、再貼付できないので、追記や盗み見が困難となり、高いセキュリティ性を有する。
（６）合成樹脂フィルムを使用していないので、環境保護にも貢献できる。
【実施例２】
【００１８】
図２は、本発明による申込書の実施例２を示す図である。
なお、前述した実施例１と同様な機能を果たす部分には、同一の符号又は末尾に統一した符号を付して、重複する説明や図面を適宜省略する。
実施例２の申込書１０Ａは、実施例１と同様の積層構造の隠蔽ラベル部２０が、シート状基材１１の裏面に設けられ、隠蔽片２１から粘着剤２４までに設けられたハーフカット（分離線）ｈｃを備えるものである。
【００１９】
そして、記入欄１４を隠蔽する場合には、ハーフカットｈｃによって隠蔽片２１から粘着剤２４までの部分を分離し、図２（Ｂ）（Ｃ）に示すように、記入欄１４と粘着剤２４とを粘着させて記入欄１４を隠蔽する。
【００２０】
このように、実施例２によれば、隠蔽ラベル部２０をシート状基材１１の裏面に設けたので、シート状基材１１の表面は平らになり、第１及び第２のハガキ部１２、１３に個別情報などの印字が行いやすい。
また、隠蔽ラベル部２０が裏面に設けられているにもかかわらず、ハーフカットｈｃによってその一部を表側から剥離することができるので、使い勝手がよく、しかも、隠蔽ラベル部２０を貼り替えてハガキ部を隠蔽できるわかりやすい形態である。
【実施例３】
【００２１】
図３は、本発明による申込書の実施例３を示す図である。
実施例３の申込書１０Ｂは、隠蔽ラベル部２０に再剥離再貼付粘着剤（再剥離再貼付粘着剤層）２６を用いたものである。
例えば、図３（Ａ）に示すように、隠蔽ラベル部２０は、隠蔽片２１と、隠蔽片２１の表面に設けられた再剥離再貼付粘着剤２６と、再剥離再貼付粘着剤２６の表面に設けられた剥離紙２５とを備えるものとし、使用時には、剥離紙２５を剥離し、折りミシン目ｍｃ１、ｍｃ２で折り畳み、記入欄１４と再剥離再貼付粘着剤２６とを粘着させて記入欄１４を隠蔽するようにする。
このようにすれば、実施例１や実施例２のものよりも構成がシンプルとなり、より製造コストを抑えることができる。
【００２２】
また、図３（Ｂ）に示すように、シート状基材１１の裏面に隠蔽ラベル部２０を設け、隠蔽片２１から再剥離再貼付粘着剤２６までにハーフカットｈｃを設け、使用時には、ハーフカットｈｃによって隠蔽片２１から再剥離再貼付粘着剤２６までの部分を分離し、記入欄１４と再剥離再貼付粘着剤２６とを粘着させて記入欄１４を隠蔽するようにしてもよい。
このようにすれば、構成がシンプルでありながら、しかも、シート状基材１１の表面に印字が行いやすいというメリットがある。
【００２３】
（変形例）
以上説明した実施例に限定されることなく、種々の変形や変更が可能であって、それらも本発明の均等の範囲内である。
（１）情報部は、ハガキ部の例で説明したが、被隠蔽情報を有するものであれば、その種類は問わない。
（２）２つのハガキ部１２、１３を設け、いずれか一方を選択する例で説明したが、３つのうちから２つを選択するようなものであってもよい。
【００２４】
（３）実施例１や実施例２で説明した、透明紙２３／粘着剤２４／剥離紙２５の３層は、製造しやすくするために、この順に積層された透明タック紙を用いてもよい。
（４）シート状基材１１のハガキ部以外の領域には、キャンペーン内容などの告知欄を設けてもよい。
【図面の簡単な説明】
【００２５】
【図１】本発明による申込書の実施例１を示す図である。
【図２】本発明による申込書の実施例２を示す図である。
【図３】本発明による申込書の実施例３を示す図である。
【符号の説明】
【００２６】
１０、１０Ａ、１０Ｂ  申込書
１１  シート状基材
１２  第１のハガキ部（情報部）
１３  第２のハガキ部（情報部）
１４  記入欄
２０  隠蔽ラベル部（隠蔽部）
２１  隠蔽片
２２  再剥離構造
２３  透明紙（透明性基材）
２４  粘着剤（粘着剤層）
２５  剥離紙
２６  再剥離再貼付粘着剤（再剥離再貼付粘着剤層）
ｈｃ  ハーフカット（分離線）
ｍｃ１、ｍｃ２  折りミシン目（折り線）
【図１】
2006150794.tif 000003
【図２】
2006150794.tif 000004
【図３】
2006150794.tif 000005